(57)【要約】【課題】従来の収納ケースの機能や体裁、生産性を損ねることなくキャリングケースとしての使用にも適したハンドル付き収納ケースを提供することを目的とする。【解決手段】収納ケース１と、この収納ケース１の周面部の対向する二面部間に上方に突出状態に架設されているハンドル部２とを備えるハンドル付き収納ケースにおいて、ハンドル部２を収納ケース１に取り付けるためのハンドル取付部４を、収納ケース１の周面部の対向する二面部に指掛け用として形成された取手孔３を利用して収納ケース１に設け、この取手孔３を利用して収納ケース１に設けられたハンドル取付部４の内面に回動自在に取り付けて、上方に突出したハンドル使用状態から倒伏回動することにより収納ケース１内に収納される構成とする。【選択図】図１
2020045109.tif 000002
【特許請求の範囲】
【請求項１】
収納ケースと、この収納ケースの周面部の対向する二面部間に上方に突出状態に架設されているハンドル部とを備えるハンドル付き収納ケースにおいて、前記ハンドル部は、前記収納ケースの前記周面部の対向する二面部に指掛け用として形成された取手孔に嵌合せしめられたハンドル取付部の内面に回動自在に取り付けられていて、上方に突出したハンドル使用状態から倒伏回動することにより前記収納ケース内に収納されるように構成されていることを特徴とするハンドル付き収納ケース。
【請求項２】
前記ハンドル部は、前記収納ケース内に収納したハンドル不使用状態にした際に前記収納ケースの周面部に沿設状態となるコ字状に形成されていることを特徴とする請求項１記載のハンドル付き収納ケース。
【請求項３】
前記ハンドル部は、両端部が対向する前記ハンドル取付部の枢着部に夫々枢着されていることを特徴とする請求項１,２のいずれか１項に記載のハンドル付き収納ケース。
【請求項４】
前記ハンドル取付部は、前記取手孔に嵌合せしめた状態における外面に指を掛けることができる指掛け部が凹設されていることを特徴とする請求項１〜３のいずれか１項に記載のハンドル付き収納ケース。
【発明の詳細な説明】
【技術分野】
【０００１】
本発明は、ハンドル付き収納ケースに関するものである。
【背景技術】
【０００２】
従来、例えば特許文献１に示すような上部が開口する箱状に形成され、左右の側面に夫々、手（指）を差し入れることができる横長の取手孔が設けられた収納ケースがある。
【０００３】
この種の収納ケースは、安価でサイズも豊富に提供されていることから高いにニーズがある。
【０００４】
また、購入者は、これらの収納ケースを例えばカラーボックス等の収納体に収納するなどして体裁よく収納した状態で使用することが多い。
【先行技術文献】
【特許文献】
【０００５】
【特許文献１】登録実用新案第３０８８６６２号公報
【発明の概要】
【発明が解決しようとする課題】
【０００６】
ところで、従来、このような収納ケースをキャリングケースとして使用するケースもある（例えば、キャンプ用品を収納し、この収納ケースごと車に積んでキャンプ場に持って行く場合など。）。
【０００７】
しかしながら、このような収納ケースは、持ち運びの際、左右に設けられた取手孔に夫々指先を入れて両手で体の前側で抱えるように持たなければならないため、運搬時は足元が見えづらくなり持ち運びにくいうえに、運搬時は両手がふさがってしまうため、家の扉や車のドアやトランク等の開閉操作がしづらく、運搬途中でこれらの操作を行う際は、一々、屈んで収納ケースを地面に置き、これらの操作を行った後、再び屈んで収納ケースを持ち上げるといった面倒な作業（動作）が必要となるなど、キャリングケースとして使用するには不向きなものであった。
【０００８】
本発明は、このような従来の収納ケースの現状に鑑みなされたものであり、この従来の収納ケースの機能や体裁、生産性を損ねることなくキャリングケースとしての使用にも適したハンドル付き収納ケースを提供することを目的とする。
【課題を解決するための手段】
【０００９】
添付図面を参照して本発明の要旨を説明する。
【００１０】
収納ケース１と、この収納ケース１の周面部の対向する二面部間に上方に突出状態に架設されているハンドル部２とを備えるハンドル付き収納ケースにおいて、前記ハンドル部２は、前記収納ケース１の前記周面部の対向する二面部に指掛け用として形成された取手孔３に嵌合せしめられたハンドル取付部４の内面に回動自在に取り付けられていて、上方に突出したハンドル使用状態から倒伏回動することにより前記収納ケース１内に収納されるように構成されていることを特徴とするハンドル付き収納ケースに係るものである。
【００１１】
また、前記ハンドル部２は、前記収納ケース１内に収納したハンドル不使用状態にした際に前記収納ケース１の周面部に沿設状態となるコ字状に形成されていることを特徴とする請求項１記載のハンドル付き収納ケースに係るものである。
【００１２】
また、前記ハンドル部２は、両端部が対向する前記ハンドル取付部４の枢着部５に夫々枢着されていることを特徴とする請求項１,２のいずれか１項に記載のハンドル付き収納ケースに係るものである。
【００１３】
また、前記ハンドル取付部４は、前記取手孔３に嵌合せしめた状態における外面に指を掛けることができる指掛け部６が凹設されていることを特徴とする請求項１〜３のいずれか１項に記載のハンドル付き収納ケースに係るものである。
【発明の効果】
【００１４】
本発明は上述のように構成したから、従来の収納ケースが有する機能や体裁、生産性を損ねることなくキャリングケースとしての使用にも適した画期的なハンドル付き収納ケースとなる。
【図面の簡単な説明】
【００１５】
【図１】本実施例を示す斜視図である。
【図２】本実施例を示す分解斜視図である。
【図３】本実施例のハンドル部取り付け構造を示す説明分解斜視図である。
【図４】本実施例のハンドル部取り付け構造を示す説明断面図である。
【図５】本実施例のハンドル部の動作説明図である。
【図６】本実施例の使用状態（積み重ねて使用）を示す説明図である。
【発明を実施するための形態】
【００１６】
好適と考える本発明の実施形態を、図面に基づいて本発明の作用を示して簡単に説明する。
【００１７】
本発明は、収納ケース１の周面部の対向する二面部に指掛け用として形成された取手孔３にハンドル取付部４を嵌合せしめ、このハンドル取付部４の内面（収納ケース１の内側）にハンドル部２を取り付ける構成とされている。
【００１８】
即ち、本発明は、収納ケース１は、従来の収納ケースと同じ構造であり、ハンドル部２を取り付けるための新たな取付孔を設けず、指掛け用として形成された取手孔３を利用してハンドル部２が収納ケース１に取り付けられている。
【００１９】
ゆえに、従来から生産されている収納ケースをそのまま用いて本発明を作製することができる。
【００２０】
即ち、言い換えると、本発明は、新たに収納ケース１を一から設計し作製する必要がなく、例えば、在庫として保有している従来の収納ケースを追加加工することなくそのまま本発明の収納ケース１として用いることができ、低コストで作製することができる。
【００２１】
また、本発明は、この取手孔３を利用して収納ケース１に取り付けられるハンドル部２がハンドル取付部４の内面に回動自在に設けられているから、このハンドル部２を例えば起立状態から倒伏回動させて水平状態にすることでこのハンドル部２を収納ケース１内に収納状態にすることができ、このハンドル収納状態においては、従来の収納ケース同様、上方に他の収納ケース１を積み重ねることができ、また、従来の収納ケースのようにカラーボックス等の収納体に体裁よく収納した際もハンドル部２が外から見えないのでその体裁を損ねることが無い。
【００２２】
このように、本発明は、従来の収納ケースが有する機能や体裁、生産性を損ねることなくキャリングケースとしての使用にも適した画期的なハンドル付き収納ケースとなる。
【実施例】
【００２３】
本発明の具体的な実施例について図面に基づいて説明する。
【００２４】
本実施例は、図１に示すように、収納ケース１と、この収納ケース１の周面部の対向する二面部間に上方に突出状態に架設されているハンドル部２とを備え、このハンドル部２が、収納ケース１の周面部の対向する二面部に指掛け用として形成された取手孔３に嵌合せしめられたハンドル取付部４の内面に回動自在に取り付けられていて、上方に突出したハンドル使用状態から倒伏回動することにより収納ケース１内に収納されるように構成されているハンドル付き収納ケースである。
【００２５】
具体的には、本実施例は、図２に示すように、収納ケース１と、ハンドル部２と、このハンドル部２を収納ケース１に回動自在に取り付けるためのハンドル取付部４及びハンドル抜止部７とで構成されているものである。
【００２６】
以下、本実施例に係る構成各部について詳述する。
【００２７】
本実施例の収納ケース１は、従来、市場に提供されている一般的な合成樹脂製の収納ケースと同様の構成とされているものであり、具体的には、上部が開口する平面視方形状の箱形体に形成されていて、正面部１Ａ及び左右の側面部１Ｂの上部側には夫々、引き出し操作或いは持ち上げ操作時の指掛け用として形成された横長形状の取手孔３が設けられた構成とされている。尚、収納ケース１の形状（高さ、幅、奥行の各寸法比率）は本実施例の図に記載される形状に限定されるものでは無い。また、収納ケース１は、正面部１Ａの取手孔３を設けない構成としても良い。
【００２８】
また、ハンドル取付部４は、収納ケース１の側面部１Ｂに設けられる取手孔３と同形に形成された取手孔嵌合部７を有し、この取手孔嵌合部７を取手孔３の外側から嵌合せしめてこの取手孔３に設けられる構成とされている。
【００２９】
具体的には、本実施例のハンドル取付部４は、この取手孔嵌合部７に抜脱防止用の係止爪８が設けられていて、この係止爪８により取手孔３に嵌め殺し状態に（取り外し不能に）設けられる構成とされている。
【００３０】
更に、本実施例のハンドル取付部４は、この取手孔嵌合部７の長手方向中央部にハンドル部２が枢着される枢着部５が設けられ、また、この取手孔嵌合部７の長手方向両端部にハンドル部２の回動範囲を規制する回動規制部９が設けられた構成とされている。
【００３１】
具体的には、本実施例の枢着部５は、枢軸に構成されていて、取手孔３に嵌合せしめられた状態の取手孔嵌合部７の表面部から内方（収納ケース１内）に向かって突出するように設けられていて、中心部には、ハンドル部２のハンドル取付部４からの抜脱を防止するためのハンドル抜止部材10が嵌挿される嵌挿部11が設けられた構成とされている。
【００３２】
より具体的には、本実施例の枢着部５は、図示するように、周面部にハンドル抜止部材10に設けられた係止爪10Ａが係止する爪係止孔15が設けられていて、嵌挿部11にハンドル抜止部材10を嵌挿すると、このハンドル抜止部材10に設けられた係止爪10Ａが爪係止孔15に嵌り込み、このハンドル抜止部材10が取り外し不能な状態になって、この枢着部５にハンドル部２が分離不能に設けられるように構成されている。
【００３３】
また更に、本実施例のハンドル取付部４は、取手孔３に嵌合せしめた状態における外面側に指を掛けることができる指掛け部６が凹設されている構成とされている。
【００３４】
即ち、本実施例は、このハンドル取付部４に指掛け部６を設けることで、従来の持ち運びの際に手を入れる取手孔３をこのハンドル取付部４で塞いでもこの指掛け部６により従来のようにこの指掛け部６に指を掛けて両手で体の前で抱え持つようにして持ち運ぶこともできるように構成されている。
【００３５】
尚、本実施例は、図示するように、枢着部５の外周面にハンドル起立状態保持部13が設けられていて、ハンドル部２側に設けられたハンドル起立状態保持係合部14がこのハンドル起立状態保持部13に係合することで、ハンドル部２の垂直な起立状態を保持することができるように構成されている。
【００３６】
また、このハンドル取付部４を介して収納ケース１に取り付けられる本実施例のハンドル部２は、図示するように、収納ケース１の左右の側面部１Ｂ間に架設し得るコ字状に形成されていて、両端部にはハンドル取付部４に枢着される枢着孔２Ａが形成されている構成とされている。
【００３７】
具体的には、本実施例のハンドル部２は、収納ケース１内に収納したハンドル不使用状態にした際、言い換えると、垂直な起立状態から９０°回動することで水平な倒伏状態になって収納ケース１内に収納された状態となった際に、この収納ケース１の周面部に沿設状態となるコ字状に形成され、この収納ケース１内に収納されたハンドル不使用状態において、可及的に上部開口部の開口エリアを狭めず、収納物の出し入れに干渉しないような構成とされている。
【００３８】
より具体的には、本実施例のハンドル部２は、枢着孔２Ａが設けられる対向腕部の夫々の外面に前述したハンドル取付部４に設けられた回動規制部９に当接係合する当接部12が突設されていて、垂直な起立状態から収納ケース１の正面側若しくは背面側に倒伏回動させた際、このハンドル部２に設けられた当接部12が、ハンドル取付部４の取手孔嵌合部７に設けられた回動規制部９に接近し、ほぼ水平状態となる位置で回動規制部９に当接してそれ以上（水平状態よりも下方側へ）回動することができず、収納ケース１の周面部に沿設状態となる水平状態が保持されて、収納ケース１内に収納されたハンドル不使用状態において、可及的に上部開口部の開口エリアを狭めず、収納物の出し入れに干渉しないように構成されている。
【００３９】
以上のように構成される本実施例の作用効果について以下に説明する。
【００４０】
本実施例は、図示するように、収納ケース１の取手孔３にハンドル取付部４の取手孔嵌合部７を外側から嵌合せしめてこのハンドル取付部４を収納ケース１の取手孔３に嵌め殺し状態に設け、収納ケース１の側面部１Ｂの内面に突出する枢着部５にハンドル部２の枢着孔２Ａを枢着した後、枢着部５に設けられた嵌挿部11にハンドル部２を介してハンドル抜止部材10を嵌挿してハンドル部２を抜け止めすることでハンドル部２を収納ケース１の内側に回動自在に取り付けることができる。
【００４１】
このように、本実施例は、収納ケース１の左右側面部１Ｂの夫々に指掛け用として形成された取手孔３を利用してハンドル取付部４を収納ケース１に設け、この取手孔３を利用して収納ケース１に設けられたハンドル取付部４にハンドル部２を取り付ける構成とされているから、ハンドル部２を取り付けるための新たな取付孔を設ける必要がなく、ゆえに、従来から生産されているハンドル無しタイプの左右に取手孔３を有する収納ケースをそのまま本実施例の収納ケース１として用いることができる。
【００４２】
即ち、本実施例は、新たに収納ケース１を一から設計し作製しなくても、例えば、在庫として保有している従来の収納ケースを追加加工することなくそのまま本実施例の収納ケース１として用いることができ、これにより、収納ケース１の製作工程を従来のハンドル無しタイプの収納ケースの作製工程と共通化することができるので、低コストで作製することが可能となり生産性に優れたハンドル付き収納ケースとなる。
【００４３】
また、本実施例は、ハンドル部２を取り付けるためのハンドル取付部４により取手孔３が閉塞されることとなるが、このハンドル取付部４の外面に指を掛けることができる凹状の指掛け部６が設けられているから、取手孔３の代わりにこの指掛け部６に指を掛けて収納ケース１を両手で抱え持つことができるので、ちょっとした移動であれば、一々ハンドル部２を出さなくてもこの指掛け部６を持って本実施例を運搬移動させることができる。
【００４４】
また、本実施例は、この取手孔３を利用して収納ケース１に取り付けられるハンドル部２を収納ケース１内に収納状態にすることができ、このハンドル収納状態においては、図６に示すように、従来の収納ケース同様、上方に他の収納ケース１を積み重ねることができ、また、従来の収納ケースのようにカラーボックス等の収納体に体裁よく収納した際もハンドル部２が外から見えないのでその体裁を損ねることが無い使い勝手の良いハンドル付き収納ケースとなる。
【００４５】
以上、本実施例は、従来の収納ケースが有する機能や体裁、生産性を損ねることなくキャリングケースとしての使用にも適した画期的なハンドル付き収納ケースとなる。
【００４６】
尚、本発明は、本実施例に限られるものではなく、各構成要件の具体的構成は適宜設計し得るものである。
【符号の説明】
【００４７】
１  収納ケース
２  ハンドル部
３  取手孔
４  ハンドル取付部
５  枢着部
６  指掛け部
【図１】
2020045109.tif 000003
【図２】
2020045109.tif 000004
【図３】
2020045109.tif 000005
【図４】
2020045109.tif 000006
【図５】
2020045109.tif 000007
【図６】
2020045109.tif 000008